(57)【要約】【課題】  成形性に優れたワンピースタイプであり、意図外の弱化部の破断が予防されていると共に、手による注出部先端の折り取りが容易且つ確実で開封操作性に優れたスパウトを提供する。【解決手段】  頂板部３及びスカート部４から成り、該スカート部４において包装材に溶着固定される溶着部２、該溶着部２の頂板部３に形成された環状側壁１１から成る注出部１０、及び該注出部１０をまたぐように破断可能な橋絡部２３を介して直接或いは基部を介して頂板部３に接続された、２つの垂直部材２１ａ，２１ｂと該垂直部材を連結する１つの水平部材２２からなるコの字型のガード部材２０が、一体成形により成形されてなるスパウトであって、前記注出部１０の上端はガード部材２０の水平部材２２の下面と環状の破断可能な弱化部１４を介して連結されていることを特徴とする。【選択図】  図１
2006341908.tif 000002
【特許請求の範囲】
【請求項１】
頂板部及びスカート部から成り、該スカート部において包装材に溶着固定される溶着部、該溶着部の頂板部に形成された環状側壁から成る注出部、及び該注出部をまたぐように破断可能な橋絡部を介して直接或いは基部を介して頂板部に接続された、２つの垂直部材と該垂直部材を連結する１つの水平部材からなるコの字型のガード部材が、一体成形により成形されてなるスパウトであって、
前記注出部の上端はガード部材の水平部材の下面と環状の破断可能な弱化部を介して連結されていることを特徴とするスパウト。
【請求項２】
前記破断可能な弱化部上には、前記ガード部材の水平部材と垂直方向側にリブが形成されている請求項１記載のスパウト。
【請求項３】
前記破断可能な弱化部における断面形状が、ガード部材の水平部材と垂直な方向に長軸が形成されている楕円形である請求項１又は２記載のスパウト。
【請求項４】
前記ガード部材の水平部材下面には、弱化部と連続する連結部が形成されており、前記橋絡部及び弱化部を破断した後、前記ガード部材の連結部が注出部の開口に嵌合可能である請求項１乃至３の何れかに記載のスパウト。
【請求項５】
前記橋絡部及び弱化部を破断した後、前記ガード部材の水平部材の上面に、注出部の開口に嵌合可能な突起が形成されている請求項１乃至３の何れかに記載のスパウト。
【発明の詳細な説明】
【技術分野】
【０００１】
本発明は、パウチ状の包装体等に溶着して使用するスパウトに関するものであり、より詳細には、成形性に優れたワンピースタイプであり、開封操作性に優れていると共に、外部からの衝撃による破損が防止されたスパウトに関する。
【背景技術】
【０００２】
パウチ状の包装体に溶着して、包装体内の内容物を外部に注出するためのスパウトとしては、一般に別途成形されたリシール用のキャップを組み合わせて成るツーピースタイプのもの（例えば、特許文献１等）と、樹脂の一体成形によるワンピースタイプのものと（例えば、特許文献２等）が知られている。
ワンピースタイプのスパウトは、樹脂の一体成形により成形されることから、ツーピースタイプのものに比してリシール用キャップの組み合わせなどが不要であるため生産性に優れている。かかるワンピースタイプのスパウトは、注出部に形成された破断可能な弱化部を手で破断して、注出部先端を取り除くことにより、注出口を形成することにより内容物の注出が可能であり、主として洗剤やシャンプー等を内容物とする他の容器に移して使用される詰め替え用の包装容器に使用されている。
【０００３】
【特許文献１】特開２００２−１０４４５３号公報
【特許文献２】特開２００４−２１０３２１号公報
【発明の開示】
【発明が解決しようとする課題】
【０００４】
しかしながら、ワンピースタイプのスパウトに設けられる弱化部は手で容易に破断できるように形成されていることから、商品の流通時に弱化部が破断されてしまうことが懸念されており、内容物を注出する時以外は、破断されることがないための手段を講じることが望まれている。
またワンピースタイプのスパウトにおいては、上述したように注出部先端を手で折り取ることにより注出口を形成するが、内容物の注出性の点から注出部の大きさ（特に径）には限界があり、注出部先端の折り取り、すなわち手による弱化部の破断が容易でないという問題がある。
【０００５】
従って本発明の目的は、注出部上端に形成されている破断可能な弱化部の使用時以外の破断が防止されていると共に、手による弱化部の破断が容易なワンピースタイプのスパウトを提供することである。
【課題を解決するための手段】
【０００６】
本発明によれば、頂板部及びスカート部から成り、該スカート部において包装材に溶着固定される溶着部、該溶着部の頂板部に形成された環状側壁から成る注出部、及び該注出部をまたぐように破断可能な橋絡部を介して直接或いは基部を介して頂板部に接続された、２つの垂直部材と該垂直部材を連結する１つの水平部材からなるコの字型のガード部材が、一体成形により成形されてなるスパウトであって、前記注出部の上端はガード部材の水平部材の下面と環状の破断可能な弱化部を介して連結されていることを特徴とするスパウトが提供される。
【０００７】
本発明のスパウトによれば、
１．破断可能な弱化部上には、前記ガード部材の水平部材と垂直方向側にリブが形成されていること、
２．破断可能な弱化部における断面形状が、ガード部材の水平部材と垂直な方向に長軸が形成されている楕円形であること、
３．ガード部材の水平部材下面には、弱化部と連続する連結部が形成されており、前記橋絡部及び弱化部を破断した後、前記ガード部材の連結部が注出部の開口に嵌合可能であること、
４．橋絡部及び弱化部を破断した後、前記ガード部材の水平部材の上面に、注出部の開口に嵌合可能な突起が形成されていること、
が好適である。
【発明の効果】
【０００８】
本発明のスパウトは、ワンピースタイプで生産性に優れていると共に、開封に際して取り除かれる注出部先端がガード部材にも連続して形成されていることから、意図外の弱化部の破断が予防されている。更に手による注出部先端の折り取りが容易且つ確実であり、開封操作性に優れている。
【発明を実施するための最良の形態】
【０００９】
本発明のスパウトにおいては、破断可能な橋絡部を介して直接或いは基部を介して頂板部に接続された、２つの垂直部材と該垂直部材を連結する１つの水平部材からなるコの字型のガード部材が、注出部をまたぐように設けられ、注出部の上端がガード部材の水平部材の下面と連続していることが重要な特徴である。これにより、注出部は下方で頂板部及び上方でガード部材と連続し、上下で固定されているため、流通時等に側方から衝撃等を受けた場合でも注出部が容易に動くことがなく、注出部に形成された破断可能な弱化部が意図外に破断されてしまうことが有効に防止される。
すなわち本発明においては、２つの垂直部材と該垂直部材を連結する１つの水平部材からなるコの字型のガード部材が、注出部をまたぐように、頂板部に固定されていることから、注出部の破断可能な弱化部を破断するには、ほぼ同時にガード部材と頂板部(或いは基部)の間に形成された破断可能な橋絡部も破断或いは折り曲げる必要があるため、スパウトが衝撃等を受けた場合でも注出部の弱化部及びガード部材の橋絡部は容易に破断されないのである。
【００１０】
また破断可能な注出部の弱化部及びガード部材の橋絡部を破断して注出口を形成した後は、後述するように、取り除かれたガード部材の一部を注出口に嵌合可能とすることにより、リシール機能を付与することも可能になるのである。
更に、弱化部がガード部材の水平部材と注出部の間に形成されていることから、ガード部材を把持して弱化部を破断することができ、注出部先端の折り取りが容易且つ確実であり、開封操作性にも優れている。
【００１１】
以下、本発明を添付図面に沿って詳細に説明する。
図１は、本発明のスパウトの一例を示す図であり、（Ａ）は上面図、（Ｂ）は正面図であり、左半分は断面を示し、（Ｃ）は底面であり、（Ｄ）は側面図であり、左半部は断面を示すものである。
全体を１で示すスパウトは、概略的に言って、溶着部２、注出部１０及びガード部材２０から成っている。
【００１２】
図１に示す具体例においては、溶着部２は、頂板部３及びスカート部４から成り、スカート部４において包装材(図示せず)に溶着固定される。また頂板部３のほぼ中央には、注出部１０に連続する開口部６が形成され、スカート部４には、下面から上方に延びる凹部７が開口部の両側に設けられている。
また注出部１０は、溶着部２の頂板部３に形成された開口部６の周囲に形成された環状側壁１１から成り、図に示した具体例では、環状側壁１１は上部において、上方にいくに従って縮径されるテーパ部１２が形成されている。テーパ部１２の上端は、周方向に延びる破断可能な弱化部１４を介して、上方に行くに従って径が大きくなるテーパ部１３につながっている。また弱化部１４の強度を向上するために、ガード部材２０の水平部材２２と垂直な方向側に弱化部１４をまたぐように軸方向に延びるリブ１５が形成されている。
【００１３】
またガード部材２０は２つの垂直部材２１ａ，２１ｂと該垂直部材２１を連結する１つの水平部材２２から成っており、垂直部材２１ａ，２１ｂの下端が溶着部の頂板部３と橋絡部２３ａ，２３ｂを介して一体に成形され、一方水平部材２２の下面がテーパ部１３上端と連続して一体に成形されている。
【００１４】
図１に示すスパウトにおいては、ガード部材２０の水平部材２２を把持し、キャップの軸を中心に回転して（捻って）弱化部１４を破断すると共に、橋絡部２３を破断することにより、内容物の注出が可能になる。またガード部材２０の水平部材２２を把持し、これを図１（Ｄ）の矢印Ｘの方向に倒してもよく、これにより弱化部１４が破断され、内容物の注出が可能になる。この場合、橋絡部２３は破断してもよいし、折り曲げるだけで破断せず、ヒンジのように利用することもできる。
【００１５】
図２及び図３は、本発明のスパウトの他の一例を示すものであり、図２は開封前のスパウトを示すものであり、（Ａ）は上面図、（Ｂ）は正面図で、左半分は断面図を示す。また図３は、図２に示すスパウトを開封後リシールした状態を示すものであり、（Ａ）は上面図、（Ｂ）は正面図で、左半分は断面図を示す。
図２及び図３に示す本発明のスパウトは、図１に示したスパウトと基本的な構造は同一であり、弱化部１４及びガード部材２０の水平部材２２の下面近傍の構造を変化させて、リシール機能を付与させたものである。
すなわち図２に示すように、弱化部１４よりも上方のリシール部分２４が、その外径が弱化部破断後に形成される注出口１６の内径とほぼ同等かそれよりも若干小さく、一部に注出口１６の内径よりもわずかに大きい外径を有する環状突起２５が形成されている。
【００１６】
図２に示すスパウト１においては、弱化部１４及び橋絡部２３を破断した後、弱化部１４よりも上方の連結部２４がガード部材２０の水平部材２２の下面に伴なって注出部１０から取り除かれ、注出口１６が形成される。
リシールをする場合には、図３に示すように、ガード部材２０を弱化部破断前の位置から約９０°回転した位置で、連結部２４を注出口１６に嵌合させることによりリシールすることが可能となる。尚、上述したように、連結部２４には注出口１６の内径よりも径の大きい環状突起２５が形成されているので、この環状突起２５か連結部２４の外面が注出口１６内面と係合して密封性を確保することが可能となる。  
【００１７】
図４乃至図６は、本発明のスパウトの他の一例を示すものであり、図４は開封前のスパウトを示すものであり、（Ａ）は上面図、（Ｂ）は正面図で、左半分は断面図を示す。また図５は、図４に示したスパウトのガード部材を取り除いた状態の正面図を示すものであり、左半分は断面図を示す。更に図６は、スパウトを開封後リシールした状態を示す正面図であり、左半分は断面図を示す。
図４乃至図６に示す本発明のスパウトも図２及び図３に示したスパウトと同様リシール機能を有するものであり、ガード部材２０の水平部材２２の上面に、注出口１６の内径とほぼ同一の外径を有するリシール用突起２６を形成させた以外は、図１に示したスパウトとほぼ同一の基本構造を有している。
【００１８】
すなわち、図４に示すスパウトにおいても、弱化部１４及び橋絡部２３を破断すると、ガード部材２０が取り除かれ、注出口１６が形成される(図５)。
リシールをする場合には、図６に示すように、ガード部材２０を逆さにし、リシール用突起２６を注出口１６に嵌合させることによりリシールが可能となる。尚、この態様においては、リシール用突起２６は注出口の内径とほぼ同じ大きさの外径を有することにより、リシール用突起２６と注出口１６内面が密着して密封性を確保しているが、勿論、図２及び３に示したスパウトと同様に注出口１６の内径よりも若干大径の環状突起を形成して、より密封性と保持力を高めることもできる。
【００１９】
本発明のスパウトは、主としてパウチ等の可撓性包装材に溶着して使用され、勿論これに限定されないが、調味料、洗剤、シャンプー、リンス等の液体製品が内容物として充填され、特に詰め替え用包装材として好適に用いられる。
図７は、本発明のスパウト１を適用した詰め替え用包装材３０からボトル等の容器４０に内容液を移す状態を示す図である。本発明のスパウト１はそれ自体硬質の材料から形成されているため、容器口部４１内に安定して嵌合させることができ、スパウト付詰め替え用包装材３０から内容液を確実に容器４０に移し変えることが可能となる。
【００２０】
本発明のスパウトは、上述した具体例に限定されず、種々の変更が可能である。
例えば、図１乃至図６に示した具体例では、ガード部材は橋絡部を介して直接頂板部に接続しているが、勿論、頂板部に基部を形成して、この基部に橋絡部が接続していてもよい。このように基部を設けることにより、ガード部材の垂直部材を短くすることができ、図３に示したようにガード部材を開封前の状態から回転させてリシールする際に、ガード部材の両垂直部材２１ａ，２１ｂを頂板部３より外側に位置させる必要がなく、寸法上の制約を受けることがない。
また図１乃至図６に示す注出部１０の環状側壁１１は、テーパ部が形成されているが、注出口の径が小さい場合や、内容物の種類によっては、設けなくても勿論よい。
溶着部の断面形状も、図に示したものに限定されず、略菱形など包装材と密着性よく接着し得る限り種々の形状を採用することができる。
また環状側壁の弱化部における注出口の断面形状も、図１（Ｃ）に示したように真円のものに限定されない。すなわち図８は、本発明のスパウトの他の一例を示すものであり、（Ａ）は上面図、（Ｂ）は正面図で、左半分が断面図を示し、（Ｃ）は側面図であり、左半部が断面図をそれぞれ示すものであるが、図８に示されるように、ガード部材の水平部材と垂直な方向に長軸が形成されている楕円形であってもよい。これにより、意図外の弱化部の破断を予防することもできる。
【００２１】
本発明のスパウトは、ポリエチレン、ポリプロピレン等の熱溶着により包装材と接着可能な樹脂を用いることにより、包装材と容易に接合することができる。
またスパウトの成形は、かかる樹脂を用いて射出成形等により成形することができる。
本発明のスパウトが適用される包装材としては、上述したような可撓性パウチ、輸液容器のようなプラスチックバッグ、牛乳パックのようなカートン容器等、種々のものを挙げることができ、またこれらの包装材は、最内層にスパウトと熱溶着可能な樹脂からなる層を有する多層構造であることが好適であり、内容物の種類に応じて適宜他の層が形成される。
【図面の簡単な説明】
【００２２】
【図１】本発明のスパウトの一例を示す図であり、（Ａ）は上面図、（Ｂ）は正面図であり、左半分は断面図を示し、（Ｃ）は底面であり、（Ｄ）は側面図であり、左半分は断面図を示す。
【図２】本発明のスパウトの他の一例について、開封前の状態をものであり、（Ａ）は上面図、（Ｂ）は正面図であり、左半分は断面図を示す。
【図３】図２に示すスパウトを開封後リシールした状態を示すものであり、（Ａ）は上面図、（Ｂ）は正面図であり、左半分は断面図を示す。
【図４】本発明のスパウトの他の一例について、開封前の状態を示すものであり、（Ａ）は上面図、（Ｂ）は正面図であり、左半分は断面図を示す。
【図５】図４に示したスパウトのガード部材を取り除いた状態の正面図を示すものであり、左半分は断面図を示す。
【図６】図４に示したスパウトを開封後リシールした状態を示すものであり、（Ａ）は上面図、（Ｂ）は正面図であり、左半分は断面図を示す。
【図７】本発明のスパウトを適用した詰め替え用包装材から容器に内容液を移す状態を示す図である。
【図８】本発明のスパウトの他の一例を示す図であり、（Ａ）は上面図、（Ｂ）は正面図であり、左半分は断面図を示し、（Ｃ）は側面図であり、左半分は断面図である。
【符号の説明】
【００２３】
１  スパウト、２  溶着部、３  頂板部、４  スカート部、５  リブ、６  開口部、
７  環状突起、１０  注出部、１１  環状側壁、１２，１３  テーパ部、１４  弱化部、
１５  リブ、１６  注出口、２０  ガード部材、２１  垂直部材、２２  水平部材、
２３  橋絡部、２５  環状突起、２６  リシール用突起。
【図１】
2006341908.tif 000003
【図２】
2006341908.tif 000004
【図３】
2006341908.tif 000005
【図４】
2006341908.tif 000006
【図５】
2006341908.tif 000007
【図６】
2006341908.tif 000008
【図７】
2006341908.tif 000009
【図８】
2006341908.tif 000010